(57)【特許請求の範囲】
【請求項１】
精白米吐出口に対峙して設けた抵抗板の押圧力を調節して精白度を調整する抵抗調節装置であって、該抵抗調節装置は、一端が支軸により回動自在に支持され、かつ前記抵抗板を保持してなる抵抗板保持体と、該抵抗板保持体の他端に一側を固定して精白米吐出方向に配置したばね部材と、該ばね部材に当接してその回動軸を精米ロールのほぼ軸線上に配したカム板と、該カム板を回動させる調節つまみとを備えてなることを特徴とする精米機の抵抗調節装置。
【発明の詳細な説明】
【０００１】
【発明の属する技術分野】
本発明は、精米機の抵抗調節装置に関する。
【０００２】
【従来技術】
精米機の抵抗板の押圧力調節手段としては、コイル状スプリングを用いて加圧するもの、例えば特公昭５７−４５６１７があるが、抵抗板に高い圧力を付勢する際などにスプリングが収縮されると、精白米吐出圧の変動を吸収するべきスプリングのゆとりは小さくなり、抵抗板の応動性が低下する。その結果、むらづきや詰まりを引き起こすおそれがある。
【０００３】
上記問題点を解決するために、吐出する精白米によく応動すると共に一定圧力を付勢する精米機の抵抗板の押圧力調節手段として、Ｕ字状スプリングを用いたもの、例えば特開昭５５−１６５１４８がある。しかしながら、Ｕ字状スプリングを用いた押圧力調節手段は、調節つまみ及びカムが精白米吐出口の正面、すなわち精米ロールの軸線上から、ずらして設けられているため、抵抗調節装置全体の大型化と構造の複雑化が避けられず、コスト高となる。
【０００４】
【発明が解決しょうとする課題】
本発明は前記問題点にかんがみ、吐出する精白米への応動性を向上させると共に抵抗板の押圧力を一定に保ち、さらにコンパクトかつ簡易に構成された精米機の抵抗調節装置を提供することを技術的課題とする。
【０００５】
【課題を解決するための手段】
前記課題を解決するために、本願の発明の手段は、精白米吐出口に対峙して設けた抵抗板の押圧力を調節して精白度を調整する抵抗調節装置であって、該抵抗調節装置は、一端が支軸により回動自在に支持され、かつ抵抗板を保持してなる抵抗板保持体と、該抵抗板保持体の他端に一側を固定して精白米吐出方向に配置したばね部材と、該ばね部材に当接してその回動軸を精米ロールのほぼ軸線上に配したカム板と、該カム板を回動させる調節つまみとを備えるものである。
【０００６】
よって、本願の発明は以下の作用を有する。調節つまみを所定方向に回し、カム板を回転させることにより、カム板に当接するばね部材を移動させる。ばね部材の移動はそのまま支軸を中心とした抵抗板保持体の回動となり、抵抗板は精白米吐出口側へ押圧される。また、精米機の稼動中における抵抗板の応動は、ばね部材が湾曲すること、すなわち、ばね部材の弾性により吸収される。したがって、精白米吐出口における抵抗板の押圧力はカム板の回動により調整され、稼働中の抵抗板の応動はばね部材の弾性により対応できるものとなる。
【０００７】
ばね部材は、長さ、厚みあるいは断面形状を変えることにより、その弾性を変えることができる。したがって、素材や形状を変えることにより、その長さを短くすることが可能である。ゆえに、本発明のように、ばね部材を精白米吐出方向に配置し調節つまみを精白米吐出口の正面に配置しても、従来のコイルバネとは異なり、抵抗調節装置を十分コンパクトにすることができる。
【０００８】
【発明の実施の形態】
本発明の実施の形態を図１及び図２に基づいて説明する。
【０００９】
図１において、精米機１は箱型外枠２内に除糠精白筒３を横架し、除糠精白筒３内部に回転横軸４を嵌挿している。この回転横軸４には、駆動部としてのモーター５が直結されている。また、回転横軸４には、精白転子６と螺旋転子７をそれぞれ軸装して、これらと除糠精白筒３との間を精白室８に形成する。除糠精白筒３上方には、精米前の原料穀粒を貯えるホッパー９を設け、該ホッパー９の排出口１０を、精白室８の給米側に設けられた給米口１１に接続する。一方、精白室８の排米側には、精白米排出樋１２を設けるとともに、抵抗調節装置１３を備えた精白米吐出口１４を設ける。
【００１０】
抵抗調節装置１３は、精白米吐出口１４に対向して圧接自在に設けられた抵抗板１５の押圧力を調節つまみ１６により調節し、所定の搗精圧力を得る構成である。この抵抗板１５は、図２に示すように、保持ピン１７を介して断面コ字状の保持板１８によって枢着されている。保持板１８の上端部は、中空軸１９に固着され、中空軸１９には、精白米排出樋１２の両側壁に横架された支軸２０を遊嵌させる。
【００１１】
精白米吐出口１４の吐出側には、精白米排出樋１２の両側壁内にあって、保持板１８を覆う逆Ｌ字型カバー２１を配設し、逆Ｌ字型カバー２１の上部両側面間に、中空軸１９を位置させる。こうして、支軸２０を中心に、保持板１８及び逆Ｌ字型カバー２１が回動自在に設けられる。また、逆Ｌ字型カバー２１の下部両側面内側にナット（図示せず）を溶着し、精白米排出樋１２両側壁の各外側からノブボルト２２を螺入することによって、逆Ｌ字型カバー２１を精白米排出樋１２に固着する。
【００１２】
更に、逆Ｌ字型カバー２１の前面（反精白米吐出口側）壁には、一端にカム板２３を軸着したカム軸２４を挿通し、カム軸２４の前面側端部に調節つまみ１６を軸着する。
【００１３】
保持板１８の下端には、ボルト２５によって板ばね２６の一端を止着する。板ばね２６の自由端は前記カム板２３に当接しており、カム板２３が回転すると、板ばね２６が下方側（矢印ａ方向）に押し下げられ、これにより、支軸２０を中心として保持板１８が回動し、抵抗板１５が精白米吐出口１４側（矢印ｂ方向）へ押圧される。
【００１４】
逆Ｌ字型カバー２１の上部側面の下端には、保持板１８の上端部に対応する係合板２７を設ける。係合板２７は、逆Ｌ字型カバー２１を支軸２０を中心として上方に回動させるときに、中空軸１９に固着された保持板１８の上端部と係合し、保持板１８を逆Ｌ字型カバー２１の動きに遅延して連動させるための間隙２８を介して設けられる。
【００１５】
次に、このように構成された精米機の作動について説明する。モーター５が駆動し、回転横軸４が回転すると、ホッパー９に貯えられた玄米は、排出口１０を通過して供給口１１より精白室８に流下する。この玄米は、螺旋転子７と精白転子２６とにより搗精された後、精白米吐出口１４から吐出され、精白米排出樋１２を流下し、精米機１外へ排出される。精白米吐出口１４では、板ばね２６により抵抗板１５を精白米吐出口１４側へ圧接させる抵抗調節装置１３によって、精白室８内の米の流動を制限しているので、精白室８内で玄米は互いに擦れ合うことにより搗精される。
【００１６】
抵抗調節装置１３の作動について詳述する。調節つまみ１６を所定方向に回し、カム板２３を回転させることにより、カム板２３に当接する板ばね２６は下方側（矢印ａ方向）へ押し下げられる。これにより、支軸２０を中心として保持板１８が回動し、抵抗板１５は精白米吐出口１４側（矢印ｂ方向）へ押圧される。また、稼動中においては、板ばね２６の弾性により、吐出する精白米に抵抗板１５は応動する（図３参照）。したがって、抵抗板１５の押圧力はカム板２３の回動により調整され、稼働中の応動は板ばね２６の弾性により対応できる。
【００１７】
上記実施の態様においては、ばね部材として板状のものを用いた押圧力調節手段について説明した。しかし、ばね部材の形状は上記に限定されるものではない。例えば、図４に示すように、（イ）板状のみならず、（ロ）棒状のもの、あるいは（ハ）断面が正方形のものでも実施し得る。また、ばね部材の素材についても、金属、硬質ゴムおよびプラスチックなど、湾曲した場合に戻ろうとする弾性のあるものならば自由に選択できる。更に、ばね部材の素材や形状を変えることによって、その長さを短くすることが可能であり、したがって、調節つまみを精白米吐出口の正面に配置しても、ばね部材を短くして、抵抗調節装置をコンパクトにすることができる。
【００１８】
【発明の効果】
この発明による精米機の抵抗調節装置は、抵抗板、支軸、抵抗板保持体、ばね部材、カム板および調節つまみだけの簡易な構成で、吐出する精白米への応動性が向上して抵抗板の応圧力が一定に保たれると共に、装置をコンパクトにすることができる。
【図面の簡単な説明】
【図１】本発明の一実施例における精米機の縦断面図。
【図２】図１における要部の拡大断面図。
【図３】同作用説明図。
【図４】ばね部材の拡大断面図。
【符号の説明】
１  精米機
２  箱型外枠
３  除糠精白筒
４  回転横軸
５  モーター
６  精白転子
７  螺旋転子
８  精白室
９  ホッパー
１０  排出口
１１  給米口
１２  精白米排出樋
１３  抵抗調節装置
１４  精白米吐出口
１５  抵抗板
１６  調節つまみ
１７  保持ピン
１８  保持板
１９  中空軸
２０  支軸
２１  逆Ｌ字型カバー
２２  ノブボルト
２３  カム板
２４  カム軸
２５  ボルト
２６  板ばね
２７  係合板
２８  間隙
【図１】
0003637588.tif 000002
【図２】
0003637588.tif 000003
【図３】
0003637588.tif 000004
【図４】
0003637588.tif 000005